(57)【特許請求の範囲】
【請求項１】
加入者に提供する各種の情報を生成して送信する情報送信装置と、前記加入者毎の情報の蓄積領域を備え、前記情報送信装置から送信される情報を中継し、当該情報を前記加入者の所有する端末装置へ送信する複数の情報提供制御装置とを有する情報提供システムにおいて、
前記情報提供制御装置は、
前記加入者が自装置から他の情報提供制御装置へ収容変更される場合に、前記加入者の収容変更の通知を前記情報送信装置へ送信する収容変更通知手段を備えることを特徴とする情報提供システム。
【請求項２】
請求項１に記載の情報提供システムにおいて、
前記情報提供制御装置は、
前記加入者の収容が自装置から他の情報提供制御装置へ変更される場合に、対応する端末装置へ送信されるべき情報を蓄積しているか否かを判定する情報蓄積判定手段を備え、
前記収容変更通知手段は、前記情報蓄積判定手段により、対応する端末装置へ送信されるべき情報を蓄積していると判定された場合に、前記加入者の収容変更の通知を前記情報送信装置へ送信することを特徴とする情報提供システム。
【請求項３】
請求項１又は２に記載の情報提供システムにおいて、
前記情報送信装置は、
情報の送信先が変更された場合に、最新の情報の送信を承諾した旨の通知を送信する承諾通知送信手段を備え、
前記情報提供制御装置は、
前記最新の情報の送信を承諾した旨の通知を受信した場合に、前記対応する端末装置へ送信されるべき情報を削除する情報削除手段を備えることを特徴とする情報提供システム。
【請求項４】
請求項３に記載の情報提供システムにおいて、
前記情報送信装置は、
前記最新の情報を収容変更先の情報提供制御装置へ送信する情報送信手段を備えることを特徴とする情報提供システム。
【請求項５】
加入者毎の情報の蓄積領域を備え、前記加入者に提供する各種の情報を生成して送信する情報送信装置からの情報を中継し、当該情報を前記加入者の所有する端末装置へ送信する情報提供制御装置において、
前記加入者の収容が自装置から他の情報提供制御装置へ変更される場合に、前記加入者の収容変更の通知を前記情報送信装置へ送信する収容変更通知手段を備えることを特徴とする情報提供制御装置。
【請求項６】
請求項５に記載の情報提供制御装置において、
前記加入者の収容が自装置から他の情報提供制御装置へ変更される場合に、対応する端末装置へ送信されるべき情報を蓄積しているか否かを判定する情報蓄積判定手段を備え、
前記収容変更通知手段は、前記情報蓄積判定手段により、対応する端末装置へ送信されるべき情報を蓄積していると判定された場合に、前記加入者の収容変更の通知を前記情報送信装置へ送信することを特徴とする情報提供制御装置。
【請求項７】
請求項６に記載の情報提供制御装置において、
前記情報送信装置からの最新の情報の送信を承諾した旨の通知に応じて、前記対応する端末装置へ送信されるべき情報を削除する情報削除手段を備えることを特徴とする情報提供制御装置。
【請求項８】
複数の加入者を収容し、前記加入者に提供する各種の情報を生成して送信する情報送信装置からの情報を中継し、当該情報を前記加入者の所有する端末装置へ送信する情報提供制御方法において、
前記加入者の収容が変更される場合に、前記加入者の収容変更の通知を前記情報送信装置へ送信することを特徴とする情報提供制御方法。
【請求項９】
請求項８に記載の情報提供制御方法において、
前記加入者の収容が変更される場合に、対応する端末装置へ送信されるべき情報を蓄積しているか否かを判定し、
前記対応する端末装置へ送信されるべき情報を蓄積していると判定した場合に、前記加入者の収容変更の通知を前記情報送信装置へ送信することを特徴とする情報提供制御方法。
【請求項１０】
請求項９に記載の情報提供制御方法において、
前記情報送信装置からの最新の情報の送信を承諾した旨の通知に応じて、前記対応する端末装置へ送信されるべき情報を削除することを特徴とする情報提供制御方法。
【発明の詳細な説明】
【０００１】
【発明の属する技術分野】
本発明は、情報を送信する情報送信装置と、該情報送信装置からの情報のうち最新の情報を中継し、端末装置へ送信する情報提供制御装置とを有する情報提供システム、該情報提供システムにおける情報提供制御装置及び情報提供制御方法に関する。
【０００２】
【従来の技術】
近年、移動通信をはじめとする通信の急速な普及に伴い、端末に対して様々な情報を提供するサービスが行われるようになっている。例えば、最新のメッセージを移動端末へ配信するメッセージ配信サービスと称されるサービスを提供する情報提供システムは、移動端末と、情報発信サーバと、複数のメッセージ蓄積装置とによって構成される。
【０００３】
情報発信サーバは、各メッセージ蓄積装置に収容されている加入者を予め認識している。この情報発信サーバは、配信対象のメッセージが新たに生じた場合、配信先となる移動端末に対応する加入者を収容しているメッセージ蓄積装置に対して、メッセージを送信する。メッセージ蓄積装置は、情報発信サーバからのメッセージを受信すると、中継装置へメッセージを送信する。中継装置は、受信したメッセージを移動端末へ送信する。
【０００４】
ところで、無線区間の障害等により、メッセージ蓄積装置から送信されたメッセージが移動端末に到着しなかった場合、当該メッセージ蓄積装置には、そのメッセージが蓄積される。
【０００５】
また、メッセージ蓄積装置は、メッセージの送信等の処理能力に応じて、加入者の収容容量が決定される。このため、トラフィックが増加したような場合には、加入者が一のメッセージ蓄積装置から他のメッセージ蓄積装置へ収容変更されることがある。このような場合、収容変更前に加入者を収容するメッセージ蓄積装置（以下、適宜「収容変更元メッセージ蓄積装置」と称する）は、次に情報発信サーバからメッセージが送信された際に、その情報発信サーバに対して、収容変更が生じたことを通知する。情報発信サーバは、この通知を受信すると、収容変更後に加入者を収容するメッセージ蓄積装置（以下、適宜「収容変更先メッセージ蓄積装置」と称する）に対して、メッセージを送信し直す。
【０００６】
従って、収容変更元メッセージ蓄積装置が移動端末へ到着していないメッセージを蓄積している場合、収容変更元メッセージ蓄積装置と収容変更先メッセージ蓄積装置の双方とも、移動端末に対してメッセージを送信する可能性がある。この場合、収容変更元メッセージ蓄積装置が収容変更先メッセージ蓄積装置よりも後にメッセージを送信すると、移動端末において、古いメッセージの方が後に到着することになり、最新のメッセージを移動端末へ送信するというサービスの実現が困難となる。
【０００７】
このような問題の対策として、以下のような方法が採用されている。即ち、加入者の収容変更が生じた場合、収容変更元メッセージ蓄積装置は、収容変更の対象となる加入者情報と、収容変更先メッセージ蓄積装置の情報とを収容する。一方、収容変更先メッセージ蓄積装置は、収容変更の対象となる加入者情報と、収容変更元メッセージ蓄積装置の情報とを収容する。
【０００８】
情報発信サーバは、この時点では収容変更が生じたことを認識していないため、収容変更の対象になっている加入者に対応する移動端末へ配信すべき新たなメッセージが生じた場合、当該メッセージを収容変更元メッセージ蓄積装置へ送信する。
【０００９】
収容変更元メッセージ蓄積装置は、このメッセージを受信すると、中継装置へ当該メッセージを送信せずに、情報発信サーバに対して、収容変更先メッセージ蓄積装置の情報を含んだ転送指示を情報発信サーバに返送する。また、収容変更元メッセージ蓄積装置は、蓄積しているメッセージの内、受信したメッセージの宛先となる移動端末へ送信されるべきメッセージを削除する。
【００１０】
情報発信サーバは、収容変更元メッセージ蓄積装置からの転送指示に含まれる収容変更先メッセージ蓄積装置の情報に基づいて、収容変更先メッセージ蓄積装置に対して、収容変更元メッセージ蓄積装置へ送信したものと同一のメッセージに、当該メッセージが再送であることを示す情報を付加して送信する。
【００１１】
収容変更先メッセージ蓄積装置は、このメッセージを受信すると、当該メッセージを中継装置へ送信する。
【００１２】
【発明が解決しようとする課題】
しかしながら、上述した何れの方法においても、情報発信サーバは、収容変更後に、新たなメッセージが発生した時になって、初めて収容変更が生じたことを認識する。従って、新たなメッセージが頻繁に発生しないようなサービスでは、加入者の収容変更処理が終了するまでの期間が長期化するという問題があった。
【００１３】
本発明は、上記問題点を解決するものであり、その目的は、情報提供システムを構成する情報送信装置と情報提供制御装置とにおいて、加入者の収容変更処理が終了するまでの期間を短縮した情報提供システム、情報提供制御装置及び情報提供制御方法を提供することにある。
【００１４】
【課題を解決するための手段】
上記の目的を達成するため、本発明は請求項１に記載されるように、加入者に提供する各種の情報を生成して送信する情報送信装置と、前記加入者毎の情報の蓄積領域を備え、前記情報送信装置から送信される情報を中継し、当該情報を前記加入者の所有する端末装置へ送信する複数の情報提供制御装置とを有する情報提供システムにおいて、前記情報提供制御装置は、前記加入者が自装置から他の情報提供制御装置へ収容変更される場合に、前記加入者の収容変更の通知を前記情報送信装置へ送信する収容変更通知手段を備えることを特徴とする。
【００１５】
また、本発明は請求項２に記載されるように、前記情報提供システムにおいて、前記情報提供制御装置は、前記加入者の収容が自装置から他の情報提供制御装置へ変更される場合に、対応する端末装置へ送信されるべき情報を蓄積しているか否かを判定する情報蓄積判定手段を備え、前記収容変更通知手段は、前記情報蓄積判定手段により、対応する端末装置へ送信されるべき情報を蓄積していると判定された場合に、前記加入者の収容変更の通知を前記情報送信装置へ送信することを特徴とする。
【００１６】
また、本発明は請求項３に記載されるように、前記情報提供システムにおいて、前記情報送信装置は、情報の送信先が変更された場合に、最新の情報の送信を承諾した旨の通知を送信する承諾通知送信手段を備え、前記情報提供制御装置は、前記最新の情報の送信を承諾した旨の通知を受信した場合に、前記対応する端末装置へ送信されるべき情報を削除する情報削除手段を備えることを特徴とする。
【００１７】
また、本発明は請求項４に記載されるように、前記情報提供システムにおいて、前記情報送信装置は、前記最新の情報を収容変更先の情報提供制御装置へ送信する情報送信手段を備えることを特徴とする。
【００１８】
また、上記の目的を達成するため、本発明は請求項５に記載されるように、加入者毎の情報の蓄積領域を備え、前記加入者に提供する各種の情報を生成して送信する情報送信装置からの情報を中継し、当該情報を前記加入者の所有する端末装置へ送信する情報提供制御装置において、前記加入者の収容が自装置から他の情報提供制御装置へ変更される場合に、前記加入者の収容変更の通知を前記情報送信装置へ送信する収容変更通知手段を備えることを特徴とする。
【００１９】
また、本発明は請求項６に記載されるように、前記情報提供制御装置において、前記加入者の収容が自装置から他の情報提供制御装置へ変更される場合に、対応する端末装置へ送信されるべき情報を蓄積しているか否かを判定する情報蓄積判定手段を備え、前記収容変更通知手段は、前記情報蓄積判定手段により、対応する端末装置へ送信されるべき情報を蓄積していると判定された場合に、前記加入者の収容変更の通知を前記情報送信装置へ送信することを特徴とする。
【００２０】
また、本発明は請求項７に記載されるように、前記情報提供制御装置において、  前記情報送信装置からの最新の情報の送信を承諾した旨の通知に応じて、前記対応する端末装置へ送信されるべき情報を削除する情報削除手段を備えることを特徴とする。
【００２１】
また、上記の目的を達成するため、本発明は請求項８に記載されるように、複数の加入者を収容し、前記加入者に提供する各種の情報を生成して送信する情報送信装置からの情報を中継し、当該情報を前記加入者の所有する端末装置へ送信する情報提供制御方法において、前記加入者の収容が変更される場合に、前記加入者の収容変更の通知を前記情報送信装置へ送信することを特徴とする。
【００２２】
また、本発明は請求項９に記載されるように、前記情報提供制御方法において、前記加入者の収容が変更される場合に、対応する端末装置へ送信されるべき情報を蓄積しているか否かを判定し、前記対応する端末装置へ送信されるべき情報を蓄積していると判定した場合に、前記加入者の収容変更の通知を前記情報送信装置へ送信することを特徴とする。
【００２３】
また、本発明は請求項１０に記載されるように、前記情報提供制御方法において、前記情報送信装置からの最新の情報の送信を承諾した旨の通知に応じて、前記対応する端末装置へ送信されるべき情報を削除することを特徴とする。
【００２４】
上述した本発明によれば、加入者の収容変更が生じた場合に、従来のように提供対象の新たな情報が生じることを待つことなく、収容変更処理を終了することが可能になる。
【００２５】
【発明の実施の形態】
以下、本発明の実施の形態を図面に基づいて説明する。図１は、本発明を適用した情報提供システムの構成例を示す図である。同図に示す情報提供システムは、情報送信装置としての情報発信サーバ１００と、情報提供制御装置としてのメッセージ蓄積装置２００−１及び２００−２（以下、これらメッセージ蓄積装置２００−１及び２００−２をまとめて、適宜「メッセージ蓄積装置２００」と称する）とを備える。この情報提供システムは、移動端末５００の加入者をメッセージ蓄積装置２００−１及び２００−２の何れかに収容する。そして、情報提供システムは、情報発信サーバ１００によって生成される各種のメッセージを、メッセージ蓄積装置２００によって中継し、移動端末５００へ提供するサービス（メッセージ提供サービス）を行う。
【００２６】
情報発信サーバ１００は、送信先情報データベース（ＤＢ）１０２、メッセージ生成部１０４、送受信部１０６及び送信先情報変更部１０８を備える。
【００２７】
送信先情報ＤＢ１０２には、メッセージの送信先に関する情報（以下、「送信先情報」と称する）が格納されている。送信先情報は、各加入者が所有する移動端末５００の端末ＩＤの集合である番号帯の情報と、当該メッセージ蓄積装置２００のＩＤ及びＩＰアドレス等の情報（以下、「蓄積装置情報」と称する）とが対応付けられている。
【００２８】
メッセージ生成部１０４は、新たなメッセージを送信する必要が生じた場合にメッセージを生成する。更に、メッセージ生成部１０４は、生成したメッセージに、送信先情報ＤＢ１０２に格納されている送信者情報に含まれる番号帯情報のうち、メッセージの宛先となる移動端末５００の端末ＩＤを付加して送受信部１０６へ出力する。
【００２９】
送受信部１０６は、メッセージ生成部１０４からのメッセージをメッセージ蓄積装置２００−１あるいはメッセージ蓄積装置２００−２へ送信する。
【００３０】
送信先情報変更部１０８については後述する。
【００３１】
メッセージ蓄積装置２００−１は、送受信部２０２−１、メッセージ配信部２０４−１、収容変更データベース（ＤＢ）２０６−１、メッセージデータベース（ＤＢ）２０８−１、収容変更部２１０−１、メッセージ削除部２１２−１を備える。同様に、メッセージ蓄積装置２００−２は、送受信部２０２−２、メッセージ配信部２０４−２、収容変更データベース（ＤＢ）２０６−２、メッセージデータベース（ＤＢ）２０８−２、収容変更部２１０−２、メッセージ削除部２１２−２を備える。
【００３２】
以下、送受信部２０２−１及び２０２−２をまとめて、適宜「送受信部２０２」と、メッセージ配信部２０４−１及び２０４−２をまとめて、適宜「メッセージ配信部２０４」と、収容変更ＤＢ２０６−１及び２０６−２をまとめて、適宜「収容変更ＤＢ２０６」と、メッセージＤＢ２０８−１及び２０８−２をまとめて、適宜「メッセージＤＢ２０８」と、収容変更部２１０−１及び２１０−２をまとめて、適宜「収容変更部２１０」と、メッセージ削除部２１２−１及び２１２−２をまとめて、適宜「メッセージ削除部２１２」と称する。
【００３３】
送受信部２０２は、情報発信サーバ１００から送信されるメッセージを受信すると、当該メッセージをメッセージ配信部２０４へ出力する。
【００３４】
メッセージ配信部２０４は、送受信部２０２からのメッセージを中継装置４００へ送信する。中継装置４００は、受信したメッセージに付加されている端末ＩＤにより特定される移動端末５００へ当該メッセージを送信する。
【００３５】
移動端末５００は、メッセージを受信した場合には、その旨の応答（受信応答）を、中継装置４００へ返す。中継装置４００は、受信が成功した旨の通知をメッセージ蓄積装置２００へ送信する。
【００３６】
一方、中継装置４００と移動端末５００との間の無線区間の障害等により、移動端末５００がメッセージを受信することができない場合には、中継装置４００は、受信が失敗した旨の通知をメッセージ蓄積装置２００へ送信する。この場合、メッセージ配信部２０４は、送信対象のメッセージをメッセージＤＢ２０８−１へ格納する。
【００３７】
加入者の収容変更は、番号帯を単位として行われる。加入者の収容変更が生じた場合には、収容変更情報が作成され、収容変更ＤＢ２０６に格納される。収容変更元のメッセージ蓄積２００内の収容変更ＤＢ２０６には、収容変更対象の加入者が所有する移動端末５００の端末ＩＤの集合である番号帯の情報と、収容変更先のメッセージ蓄積装置のＩＤやＩＰアドレス等の情報（蓄積装置情報）とが対応付けられている。一方、収容変更先のメッセージ蓄積２００内の収容変更ＤＢ２０６には、収容変更対象の加入者が所有する移動端末５００の端末ＩＤの集合である番号帯の情報と、収容変更元のメッセージ蓄積装置の蓄積装置情報とが対応付けられている。
【００３８】
収容変更元のメッセージ蓄積装置２００内の収容変更部２１０は、更新した収容変更情報に含まれる番号帯情報に属する端末ＩＤをキーとして、メッセージＤＢ２０８を検索し、当該端末ＩＤにより特定される移動端末５００へ送信されるべきメッセージが格納されているか否かを判定する。当該メッセージが格納されている場合には、収容変更元のメッセージ蓄積装置２００内の収容変更部２１０は、収容変更先のメッセージ蓄積装置２００の蓄積装置情報と収容変更対象の加入者が所有する移動端末５００の端末ＩＤとを含んだ収容変更通知を生成し、送受信部２０２へ出力する。送受信部２０２は、この収容変更通知を情報発信サーバ１００へ送信する。
【００３９】
情報発信サーバ１００内の送信先情報変更部１０８は、送受信部１０６を介して収容変更通知を受信すると、当該収容変更通知に含まれている端末ＩＤに基づいて、収容変更の対象となっている加入者が所有する移動端末５００へ送信すべき新たなメッセージを作成することが可能であるか否かを判定する。新たなメッセージを作成することが可能である場合には、送信先情報変更部１０８は、収容変更通知に対する応答として、最新のメッセージを収容変更先のメッセージ蓄積装置２００へ送信することを承諾した旨の通知（以下、「送信承諾通知」と称する）を生成する。ここで、新たなメッセージとは、最新の情報を通知するためのメッセージを指す。送受信部１０６は、この送信承諾通知を収容変更元のメッセージ蓄積装置２００へ送信する。
【００４０】
収容変更元のメッセージ蓄積装置２００内の送受信部２０２は、送信承諾通知を受信し、メッセージ削除部２１２へ出力する。メッセージ削除部２１２は、送信承諾通知を受けると、対応する収容変更通知内の端末ＩＤが付加されているメッセージをメッセージＤＢ２０８から削除する。
【００４１】
上述したメッセージ蓄積装置２００の収容変更部２１０によるメッセージＤＢ２０８の検索からメッセージ削除部２１２によるメッセージの削除までの処理は、収容変更の対象となる各加入者毎に行われる。そして、メッセージ蓄積装置２００の収容変更部２１０は、収容変更の対象となる最後の加入者に対応する収容変更通知にその旨の通知を含める。
【００４２】
この収容変更通知を受信した情報発信サーバ１００の送信先情報変更部１０８は、送信先情報ＤＢ１０２に格納されている送信先情報のうち、収容変更の対象となる加入者が所有する移動端末５００の端末ＩＤが属する番号帯情報に対応する蓄積装置情報を、収容変更前のメッセージ蓄積装置２００の蓄積装置情報から収容変更先のメッセージ蓄積装置２００の蓄積装置情報に変更する。
【００４３】
また、収容変更の対象となっている加入者が所有する移動端末５００へ送信すべき新たなメッセージを生成することが可能である場合には、メッセージ生成部１０４は、メッセージを生成する。更に、メッセージ生成部１０４は、生成したメッセージに、送信先情報ＤＢ１０２に格納されている送信者情報に含まれる番号帯情報に基づいて、メッセージの宛先となる移動端末５００の端末ＩＤを付加して送受信部１０６へ出力する。
【００４４】
送受信部１０６は、メッセージ生成部１０４からのメッセージを収容変更先のメッセージ蓄積装置２００へ送信する。収容変更先のメッセージ蓄積装置２００は、このメッセージを中継装置４００へ送信する。中継装置４００は、受信したメッセージに付加されている端末ＩＤにより特定される移動端末５００に対して、当該メッセージを送信する。
【００４５】
次に、シーケンス図を参照しつつ、情報提供システムの動作を説明する。図２は、情報提供システムの動作を示すシーケンス図である。同図は、加入者がメッセージ蓄積装置２００−１からメッセージ蓄積装置２００−２へ収容変更される場合の例である。
【００４６】
収容変更元のメッセージ蓄積装置２００−１は、加入者の収容変更が発生した場合、収容変更情報を作成する（ステップ１０１）。次に、メッセージ蓄積装置２００−１は、収容変更の対象となる加入者が存在するか否かを判定する（ステップ１０２）。
【００４７】
収容変更の対象となる加入者が存在する場合、収容変更元のメッセージ蓄積装置２００−１は、収容変更の対象となる加入者が所有する移動端末５００へ送信されるべきメッセージが格納されているか否かを判定する（ステップ１０３）。当該メッセージが格納されている場合には、メッセージ蓄積装置２００−１は、収容変更情報に基づいて、収容変更先のメッセージ蓄積装置２００−２の蓄積装置情報と収容変更対象の加入者が所有する移動端末５００の端末ＩＤとを含んだ収容変更通知を、情報発信サーバ１００へ送信する（ステップ１０４）。
【００４８】
情報発信サーバ１００は、収容変更通知を受信すると、収容変更の対象となっている加入者宛ての新たなメッセージを作成可能であるか否かを判定する（ステップ１０５）。当該メッセージを作成可能である場合には、情報発信サーバ１００は、収容変更元のメッセージ蓄積装置２００−１へ送信承諾通知を送信する（ステップ１０６）。
【００４９】
収容変更元のメッセージ蓄積装置２００−１は、送信承諾通知を受信すると、対応する収容変更通知内の端末ＩＤが付加されているメッセージをメッセージＤＢ２０８から削除する（ステップ１０７）。
【００５０】
情報発信サーバ１００は、収容変更応答を送信した後、収容変更の対象となっている加入者宛ての新たなメッセージを作成し、メッセージの宛先となる移動端末５００の端末ＩＤを付加して、収容変更先のメッセージ蓄積装置２００−２へ送信する（ステップ１０８、１０９）。
【００５１】
収容変更元のメッセージ蓄積装置２００−２は、メッセージを受信すると、受信した旨の応答（メッセージ受信応答）を情報発信サーバ１００に返す（ステップ１１０）。次に、収容変更元のメッセージ蓄積装置２００−２は、中継装置４００を介して、メッセージを移動端末５００へ送信する（ステップ１１１）。
【００５２】
このように、本実施形態の情報提供システムでは、加入者の収容変更が生じた場合、収容変更元のメッセージ蓄積装置２００は、収容変更情報を作成するとともに、加入者の変更が生じた旨を情報発信サーバ１００へ通知する。更に、収容変更元のメッセージ蓄積装置２００は、情報発信サーバ１００からの送信承諾通知を受信した場合に、収容変更の対象となっている加入者へ送信されるべきメッセージをメッセージＤＢ２０８から削除する。
【００５３】
従って、従来のように、情報発信サーバ１００が新たなメッセージをメッセージ蓄積装置２００へ送信した時を契機として、メッセージ蓄積装置２００から情報発信サーバ１００へ加入者の収容変更が生じた旨を通知する場合よりも、加入者収容の変更処理が終了するまでの期間を短縮することができる。
【００５４】
上記実施形態において、メッセージ蓄積装置２００内の収容変更部２１０が収容変更通知手段及び情報蓄積判定手段に対応し、情報発信サーバ１００内の送信先情報変更部１０８が情報削除要求手段に対応する。また、メッセージ蓄積装置２００内のメッセージ削除部２１２が情報削除手段に対応する。更に、情報発信サーバ１００内のメッセージ生成部１０４及び送受信部１０６が情報送信手段に対応する。
【発明の効果】
上述の如く、本発明によれば、加入者の収容変更が生じた場合に、従来のように提供対象の新たな情報が生じることを待つことなく、収容変更処理を終了することが可能になる。
【図面の簡単な説明】
【図１】情報提供システムの構成例を示す図である。
【図２】情報提供システムの動作を示すシーケンス図である。
【符号の説明】
１００  情報発信サーバ
１０２  送信先情報ＤＢ
１０４  メッセージ生成部
１０６  送受信部
１０８  送信先情報変更部
２００−１、２００−２  メッセージ蓄積装置
２０２−１、２０２−２  送受信部
２０４−１、２０４−２  メッセージ配信部
２０６−１、２０６−２  収容変更ＤＢ
２０８−１、２０８−２  メッセージＤＢ
２１０−１、２１０−２  収容変更部
２１２−１，２１２−２  メッセージ削除部
４００  中継装置
５００  移動端末
【図１】
0003682774.tif 000002
【図２】
0003682774.tif 000003